(57)【要約】【課題】  パネル体にカバー材を取り付けてあって、取付部の意匠性が良好な構造体を提供する。【解決手段】  パネル体と、取付具と、カバー材を備え、取付具は、パネル体取付部と、カバー材取付部を有していて、パネル体取付部がパネル体の端部に前側からネジ止めしてあり、カバー材取付部がパネル体の外周側に延びており、カバー材は、固定部と、被覆部と、隙間隠し部を有していて、固定部が取付具のカバー材取付部に後側からネジ止めしてあり、被覆部が取付具のパネル体取付部を前側から覆っており、隙間隠し部がパネル体の外周側の隙間を隠している。【選択図】      図１
2018115432.tif 000002
【特許請求の範囲】
【請求項１】
パネル体と、取付具と、カバー材を備え、取付具は、パネル体取付部と、カバー材取付部を有していて、パネル体取付部がパネル体の端部に前側からネジ止めしてあり、カバー材取付部がパネル体の外周側に延びており、カバー材は、固定部と、被覆部と、隙間隠し部を有していて、固定部が取付具のカバー材取付部に後側からネジ止めしてあり、被覆部が取付具のパネル体取付部を前側から覆っており、隙間隠し部がパネル体の外周側の隙間を隠していることを特徴とする構造体。
【発明の詳細な説明】
【技術分野】
【０００１】
本発明は、パネル体を備えるフェンスなどの構造体に関する。
【背景技術】
【０００２】
従来、非特許文献１に示すように、フェンスにおいて、パネル体の下端部にカバー材を取り付け、パネル体の下端と設置面の間の隙間を隠したものがあった。
【先行技術文献】
【非特許文献】
【０００３】
【非特許文献１】「エクステリア総合カタログ２０１６−２０１７（ＳＴＸ１０１３Ａ）」、三協立山株式会社、２０１６年３月、ｐ．６１３
【発明の概要】
【発明が解決しようとする課題】
【０００４】
しかしながら、このような従来のカバー材は、パネル体に前側（道路側）からネジ止めして取り付けるものだったので、ネジの頭部が前側に露出しており、意匠性が良くなかった。
【０００５】
本発明は、上記事情を鑑みたものであり、パネル体にカバー材を取り付けてあって、取付部の意匠性が良好な構造体を提供することを目的とする。
【課題を解決するための手段】
【０００６】
本発明は、パネル体と、取付具と、カバー材を備え、取付具は、パネル体取付部と、カバー材取付部を有していて、パネル体取付部がパネル体の端部に前側からネジ止めしてあり、カバー材取付部がパネル体の外周側に延びており、カバー材は、固定部と、被覆部と、隙間隠し部を有していて、固定部が取付具のカバー材取付部に後側からネジ止めしてあり、被覆部が取付具のパネル体取付部を前側から覆っており、隙間隠し部がパネル体の外周側の隙間を隠していることを特徴とする。
【発明の効果】
【０００７】
本発明によれば、取付具のパネル体に対するネジ止め部（パネル体取付部）は、カバー材の被覆部により覆われており、カバー材は、取付具に対して後側からネジ止めしてあるので、前側には各ネジ止め部が露出せず、意匠性が良好である。
【図面の簡単な説明】
【０００８】
【図１】カバー材部分の縦断面図である。
【図２】カバー材部分の正面図である。
【図３】構造体の正面図である。
【図４】（ａ）、（ｂ）はカバー材の取付手順図である。
【発明を実施するための形態】
【０００９】
以下、本発明の実施の形態を図面に基づいて説明する。この構造体は、種々の用途に用いられるものであるが、ここでは住宅の敷地境界などに設置されるフェンスの場合を例に挙げる。図３に示すように、このフェンスは、左右に並べて立設した支柱４の前側にパネル体１を取り付けたものであり、前側が道路側、後側が家側となる。パネル体１は、左右に連結されて複数枚並んでおり、下桟５と、上桟６と、左右の縦桟７を有していて、各桟を四周に組んだ内周側に面材や格子材を設けて面状に形成してある。なお、支柱４、下桟５、上桟６及び縦桟７は、何れもアルミ製の押出形材からなる。
【００１０】
パネル体１の下桟５は、図１及び図２に示すように、略Ｌ字形の支持具８によって、設置面との間に隙間を設けて支柱４に取り付けてある。支持具８は、垂直片８１を支柱４の前側面にネジ止めしてあって、垂直片８１の上端から水平片８２が前側に向けて突出しており、水平片８２に下桟５が載置されている。なお、垂直片８１の上端部に、前側に突出する段部８３を形成してあって、段部８３と支柱４の前側面の間に隙間が形成されており、この隙間に、下桟５の下面の後端部から下向きに延びる固定片５１が挿入されることで、下桟５が前後方向に固定されている。また、下桟５の下面の前端部には垂下片５２を形成してあり、垂下片５２が、支持具８の水平片８２を前側から隠している。
【００１１】
そして、図１及び図２に示すように、パネル体１の下桟５の下端部には、下桟５と設置面との間の隙間を前側から隠すカバー材３を設けてある。また、カバー材３の端部には、小口キャップ９を取り付けてある。カバー材３は、取付具２を介して下桟５に取り付けてあり、以下、取付構造について詳述する。
【００１２】
取付具２は、支柱４よりも幅の狭い金具からなり、垂直面からなるパネル体取付部２１と、パネル体取付部２１の下端から後側に向けて延びる連結部２３と、連結部２３の後端から下側に向けて延びるカバー材取付部２２と、カバー材取付部２２の下端から前側に向けて延びるカバー材載置部２４を備える。また、カバー材載置部２４の後端部には、下側に凹んだ左右方向に延びる溝状の位置規制部２５を形成してあり、カバー材載置部２４の前端部には、上側に向けて延びる被係止部２６を形成してある。さらに、連結部２３の後端部には、上側に向けて延び上端で前側に屈曲する当接部２７を形成してある。当接部２７の高さは、下桟５の垂下片５２の長さと同じである。
【００１３】
そして、取付具２のパネル体取付部２１を、パネル体１の下桟５の下端部の前側面に当接させ、前側から取付具固定ネジ２８でネジ止めしてある。この際、下桟５の垂下片５２の下端が、取付具２の連結部２３に上側から当接するとともに、取付具２の当接部２７の上端が、下桟５の下面に下側から当接しており、カバー材取付部２２が下側（パネル体１の外周側）に延びる向きとなる。なお、図２に示すように、取付具２は、パネル体１を支持する支持具８とは左右にずれた位置に設けてある。
【００１４】
一方、カバー材３は、アルミ形材からなり、パネル体１と同じ幅であり、垂直面からなる固定部３１と、固定部３１の上端から前側に向けて延びる連結部３４と、連結部３４の前端から上側に向けて延びる被覆部３２と、連結部３４の前端から下側に向けて延びる隙間隠し部３３を備え、被覆部３２と隙間隠し部３３は上下一連の垂直面となっている。連結部３４の前後方向長さは、取付具２の前後方向長さと同じである。また、固定部３１の下端部には、前側に向けて延びる挿入片３５を形成してある。さらに、隙間隠し部３３の上部に、後側に向けて突出する係止部３６を形成してある。また、隙間隠し部３３の下端部にはタイト材ホルダ３７を設けてあり、タイト材ホルダ３７にタイト材３８を取り付けてある。
【００１５】
そして、カバー材３の固定部３１を、取付具２のカバー材取付部２２に前側から当接させて、後側からカバー材固定ネジ３９でネジ止めしてある。この際、被覆部３２の上端は取付具２のパネル体取付部２１の上端よりも上側に位置し、被覆部３２が、パネル体取付部２１に前側から当接して、パネル体取付部２１の全体を前側から覆っている。また、隙間隠し部３３の下端のタイト材３８が、設置面に当接しており、隙間隠し部３３が、パネル体１の下桟５と設置面との間の隙間（パネル体１の外周側の隙間）を前側から隠している。さらに、カバー材３の挿入片３５が、取付具２のカバー材載置部２４に形成された溝状の位置規制部２５に挿入されていて、カバー材３がカバー材載置部２４に載置されているとともに、カバー材３の係止部３６が、取付具２の被係止部２６に下側から係止されている。
【００１６】
なお、このカバー材３は、フェンスの施工後に後付けするものであり、取り付けの具体的な手順は、以下のとおりである。
（１）パネル体１の下桟５の下端部の前側面に、取付具２のパネル体取付部２１を当接させ、取付具２の連結部２３を下桟５の垂下片５２の下端に下側から当接させるとともに、取付具２の当接部２７の上端を下桟５の下面に下側から当接させる。
（２）取付具固定ネジ２８によって、パネル体取付部２１を下桟５の前側面に前側からネジ止めする（図４（ａ））。
（３）カバー材３の固定部３１を取付具２のカバー材載置部２４に載置して、カバー材３を仮置きする。この際、カバー材３の挿入片３５を取付具２の溝状の位置規制部２５に挿入することにより、カバー材３の前後方向の移動が規制されるとともに、カバー材３の係止部３６が取付具２の被係止部２６に係止されることにより、カバー材３の前側に倒れる方向の回転（図１及び図４における反時計回りの回転）が規制される。
（４）カバー材固定ネジ３９によって、固定部３１を取付具２のカバー材取付部２２に後側からネジ止めする（図４（ｂ））。
（５）カバー材３に小口キャップ９を取り付ける。
【００１７】
このように構成した本発明の構造体によれば、取付具２のパネル体１に対するネジ止め部であるパネル体取付部２１は、カバー材３の被覆部３２により前側から覆われており、カバー材３は、取付具２に対して後側からネジ止めしてあるので、前側には各ネジ止め部が露出せず、意匠性が良好である。また、カバー材３を取り付ける際に、固定部３１を取付具２のカバー材載置部２４に載置して仮置きできるので、カバー材３を人手により支持し続ける必要がなく、施工が容易である。そして、仮置き時に、カバー材３の挿入片３５を取付具の位置規制部２５に挿入することで、カバー材３の前後方向の移動が規制され、さらにカバー材３の係止部３６が取付具２の被係止部２６に係止されることで、カバー材３の前側に倒れる方向の回転が規制されるので、容易に位置決めが可能であるとともに、仮置き状態が確実に維持され、ネジ止め時にもカバー材３が動かず作業性が良い。
【００１８】
本発明は、上記の実施形態に限定されない。たとえば、取付具及びカバー材の形状は、パネル体の構造、設置面の状況や意匠性などを考慮して、適宜変更できる。また、取付具及びカバー材を設ける位置は、パネル体の下端部に限られず、上端部や側端部であってもよい。それらの場合、カバー材の隙間隠し部は、パネル体の上端と天井面との間の隙間や、パネル体の側端と壁面との間の隙間を隠す。
【符号の説明】
【００１９】
１  パネル体
２  取付具
３  カバー材
２１  パネル体取付部
２２  カバー材取付部
３１  固定部
３２  被覆部
３３  隙間隠し部
【図１】
2018115432.tif 000003
【図２】
2018115432.tif 000004
【図３】
2018115432.tif 000005
【図４】
2018115432.tif 000006